(57)【特許請求の範囲】
【請求項１】
誘虫効果のある波長の光を低減した放射光を放射し、虫の侵入を防ぎたい防除領域を少なくとも含む照明範囲を照明する照明装置と、光軸が虫を誘引したい方向を向くように配置された誘虫用発光部を具備し、防除領域の内部に侵入した虫を誘虫用発光部の光で誘引する誘虫装置と、前記誘虫用発光部から放射される光のＳ偏光成分を低減する第１減光手段とを備えたことを特徴とする虫防除システム。
【請求項２】
前記照明装置から放射される光のＳ偏光成分を低減する第２減光手段を備えたことを特徴とする請求項１記載の虫防除システム。
【発明の詳細な説明】
【技術分野】
【０００１】
本発明は、建物や設備などの防除領域に侵入する昆虫をはじめとする生物（虫）を防除する虫防除システムに関するものである。
【背景技術】
【０００２】
この種の虫防除システムとしては、例えば特許文献１に示されるように、誘虫効果の高い紫外線を照射する誘虫灯を備える電撃殺虫器を建物の外壁付近に設置し、誘虫灯で誘引した虫を電撃により殺虫するものがあった（従来例１）。
【０００３】
また上記の従来例１に類似した虫防除システムとして、例えば特許文献２に示されるように、防除領域の周辺に誘虫効果の高い光を照射する誘虫灯を設置し、防除対象の虫を殺虫せずに、誘虫灯の周辺に係留することで、防除領域へ侵入する虫を削減するものもあった（従来例２）。
【０００４】
また、多くの昆虫は紫外領域の光に誘引されるため、例えば特許文献３に示されるように、建物の外壁に設けた窓や扉に嵌め込んだガラスに、建物内に設置された照明器具から放射される紫外領域の光をカットする処理を施して、窓から建物の外側に漏れる紫外領域の光を低減して、昆虫などの虫を誘引しないようにしたものもあった（従来例３）。
【先行技術文献】
【特許文献】
【０００５】
【特許文献１】特開２００１−９５４６０号公報（第２頁、及び、第１図）
【特許文献２】特開２００３−９７４４号公報（段落番号［０００８］−［０００９］）
【特許文献３】特開平１−１２２９３５号公報（第２頁−第３頁）
【発明の概要】
【発明が解決しようとする課題】
【０００６】
上述の従来例１では、電撃殺虫器や誘虫灯を建物の外壁付近に設置しているので、誘虫灯から誘虫効果の高い紫外線が建物の周辺に照射される。また従来例２では、誘虫灯から防除領域の方向だけではなく、全周方向に誘虫効果のある光を照射してしまう。したがって、従来例１、２に示される虫防除システムでは、電撃殺虫器や誘虫灯がなければ近寄ってこなかったはずの虫まで誘引されることになり、これらの虫防除システムを施工したためにより多くの虫を引き寄せてしまい、その結果建物の内部に侵入する虫がかえって増加してしまう虞があった。
【０００７】
また従来例３では、建物から漏れ出す紫外線を低減することで建物の近くに集まってくる昆虫の数を減らしているので、建物の外部から内部への虫の侵入をある程度は防止できるものの、一旦建物の内部に侵入した虫に対しては効果が無く、侵入した虫を排除したり捕獲することはできなかった。また、窓や扉を開けると、紫外光をカットしていない光が外部に漏れてしまい、近寄ってくる虫の数を減らす効果が全く発揮できなかった。
【０００８】
本発明は上記問題点に鑑みて為されたものであり、その目的とするところは、防除領域の外側にいる虫を誘引することなく、防除領域内に侵入した虫を誘引して防除領域から取り除くことができる虫防除システムを提供するにある。
【課題を解決するための手段】
【０００９】
上記目的を達成するために、請求項１の発明は、誘虫効果のある波長の光を低減した放射光を放射し、虫の侵入を防ぎたい防除領域を少なくとも含む照明範囲を照明する照明装置と、光軸が虫を誘引したい方向を向くように配置された誘虫用発光部を具備し、防除領域の内部に侵入した虫を誘虫用発光部の光で誘引する誘虫装置と、前記誘虫用発光部から放射される光のＳ偏光成分を低減する第１減光手段とを備えたことを特徴とする。請求項２の発明は、請求項１の発明において、前記照明装置から放射される光のＳ偏光成分を低減する第２減光手段を備えたことを特徴とする。
【発明の効果】
【００１０】
請求項１の発明によれば、防除領域を少なくとも含む照明範囲を照明する照明装置は、放射光から誘虫効果のある波長の光が除かれているので、防除領域の外側にいる虫が照明装置の光に誘われて防除領域に侵入するのを防止できるという効果がある。そのうえ、防除領域の内部に侵入した虫は誘虫用発光部の光で誘引しているので、既に防除領域に侵入した虫を誘虫装置により所望の方向に誘引できるという効果がある。さらに、誘虫装置の誘虫用発光部は光軸が虫を誘引したい方向を向くように設置されているので、誘虫用発光部の光が不要な方向に放射されて新たな虫を誘引するのを防止でき、誘虫装置を設置することで防除領域に集まってくる虫の数が増加するのを防止できるという効果もある。また更に、照明装置の放射光からは誘虫効果のある波長の光が除かれているので、誘虫用発光部以外の誘引源を減らすことで、誘虫装置による虫の誘引効果が向上するという効果もある。そのうえ、第１減光手段によって放射光のＳ偏光成分を低減しているので、主たる反射面（入射角が深い反射面）で反射される光を低減することができる。誘虫用発光部の光が照射面で反射されると、その反射光が防除領域の外側に漏れて、防除領域の外側にいる虫を誘引する虞があるが、減光手段により主たる反射面で反射される光を低減しているので、この反射光によって外部の虫が誘引されるのを防止できる。また請求項２の発明によれば、第２減光手段を備えることによって、照明装置から放射される光のＳ偏光成分を低減することができる。
【図面の簡単な説明】
【００１１】
【図１】実施形態１の虫防除システムに用いる誘虫装置の説明図である。
【図２】同上の照明装置又は誘虫装置からの光の入射角と反射率との関係を示す図である。
【図３】基本構成の虫防除システムが適用される店舗の平面図である。
【図４】同上の照明装置に用いる短波長光カットフィルタの透過率を示す図である。
【図５】同上の照明装置に短波長光カットフィルタを取り付けた際の虫の誘引数の変化を示す図である。
【図６】同上の誘虫装置の誘虫用発光部の分光分布を示す図である。
【図７】人間と昆虫の各波長の光に対する感度を示す図である。
【図８】参考例１の虫防除システムを用いる店舗の平面図である。
【図９】同上の照明装置に用いる短波長光カットフィルタの透過率を示す図である。
【図１０】同上の別の照明装置の分光分布を示す図である。
【図１１】参考例２の虫防除システムに用いる照明装置の説明図である。
【図１２】（ａ）（ｂ）は同上の別の照明装置の説明図である。
【図１３】参考例３の虫防除システムに用いる誘虫装置の説明図である。
【図１４】参考例４の虫防除システムに用いる誘虫装置の説明図である。
【図１５】参考例５の虫防除システムの説明図である。
【図１６】同上の別の構成例の説明図である。
【図１７】参考例６の虫防除システムに用いる誘虫装置の配置図である。
【図１８】参考例７の虫防除システムに用いる誘虫装置の配置図である。
【図１９】参考例８の虫防除システムに用いる誘虫装置の説明図である。
【図２０】参考例９の虫防除システムに用いる誘虫装置の説明図である。
【図２１】参考例１０の虫防除システムに用いる誘虫装置の説明図である。
【図２２】参考例１１の虫防除システムに用いる誘虫装置の説明図である。
【図２３】同上に用いる誘虫装置の外観斜視図である。
【図２４】参考例１２の虫防除システムに用いる誘虫装置の説明図である。
【図２５】参考例１３の虫防除システムに用いる誘虫装置の説明図である。
【図２６】（ａ）〜（ｅ）は同上に用いる誘虫装置の外観斜視図である。
【発明を実施するための形態】
【００１２】
本発明の実施の形態を図面に基づいて説明する。
【００１３】
（基本構成）
本発明に係る虫防除システムをスーパーマーケットのような店舗に適用した形態について図３〜図７に基づいて説明する。
【００１４】
図３は建物（店舗）２０の平面図であり、建物２０の正面略中央には出入口２１が設けられ、建物２０の正面の壁と右側の壁の前面側にはガラス窓２２が設けられている。建物２０の内部は仕切壁２３によって店舗スペース２４と事務室２５とに分けられ、建物２０の右奥には事務室２５が設けられている。また、建物２０の左側及び正面奥の壁に沿ってショーケース２６がＬ形に配置され、店舗スペース２４と事務室２５とを仕切る仕切壁２３に沿ってレジ２７が配置されている。
【００１５】
そして、店舗スペース２４及び事務室２５の天井や、出入口２１の外側にある軒天井には複数の照明器具１が配設されている。各照明器具１は直管形の蛍光ランプ（図示せず）を具備し、短波長光に対して非透過性を有する材料からシリンダ状（円筒状）に形成された短波長光カットフィルタ（図示せず）を直管形の蛍光ランプに装着することで、蛍光ランプの放射光から短波長の光をカットしている。図４は短波長光カットフィルタの各波長の光に対する透過率を示しており、カットする光の波長の上限が約４１０ｎｍに設定されている。
【００１６】
ところで、多くの昆虫は紫外領域の光に誘引されることが知られており、紫外領域を含む短波長光を照明器具１の放射光から除去することが、昆虫の誘引を防ぐためには有効である。本発明者らは紫外領域から可視領域の短波長側にかけての光をカットする短波長光カットフィルタを照明器具１の光源に被せて、誘引される昆虫の低減効果を調べる実験を鱗翅目及び双翅目の昆虫について行ったところ、図５に示すような結果が得られた。ここで、横軸は各短波長光カットフィルタでカットされる光の波長の上限であり、縦軸はフィルタを使用しない場合の昆虫の誘引数に対するフィルタを使用する場合の昆虫の誘引数の比率である。
【００１７】
図５の実験結果から波長が約４１０ｎｍまでの短波長光を低減した場合に誘引数が効率良く減少することが判明した。また可視領域の光の吸収率が高くなると、人間が見た場合に光色が黄色味を帯びることになり外観上好ましくないが、この点においてもカットする波長の上限が約４１０ｎｍ未満であれば黄色味が少なく外観上の問題も起こりにくい。
【００１８】
ここで、波長が約４１０ｎｍ未満の光をカットする短波長光カットフィルタを各種の光源に被せた場合に、各々の光源について波長が約４１０ｎｍ以上の最大分光エネルギーに対する約４１０ｎｍ未満の最大分光エネルギーの比率を求めた結果を表１に示す。
【００１９】
【表１】
0004840463.tif 000002
【００２０】
この表１から分かるように、各光源の色味を確保しつつ波長が４１０ｎｍ未満の短波長光をカットして虫の誘引を防止するためには、波長が約４１０ｎｍ未満の最大分光エネルギーが、約４１０ｎｍ以上の最大分光エネルギーに対する比率を約２６％未満に収めることが必要になる。尚、この虫防除システムでは短波長光カットフィルタを光源に被せることで波長が約４１０ｎｍ未満の短波長光をカットしているが、波長が約４１０ｎｍ未満の短波長光を放射しない光源を用いても良いことは言うまでもない。
【００２１】
このように照明器具１の分光分布を調整することで、照明器具１の光で誘引される虫を減らして、建物２０内への虫の侵入を防止しているのであるが、建物２０の内部（防除領域）への虫の侵入を完全に防止することは不可能である。そこで、既に建物２０内に侵入した虫や、出入口２１付近にいて内部に侵入する可能性の高い虫を排除したり捕獲するために、建物２０正面のガラス窓２２付近の天井には粘着式の捕虫器からなる誘虫装置２を設置してある。この誘虫装置２は、光で虫を誘引するための誘虫用発光部（図示せず）を備え、誘虫用発光部の光軸が建物２０の奥（内側）を向くように設置されており、誘虫用発光部の光で建物２０の奥にあるショーケース２６に近付く虫を正面のガラス窓２２側に誘引する。尚、図６は誘虫用発光部の発光分布を示し、この誘虫用発光部は例えば１０Ｈｚで点滅している。
【００２２】
ここで、誘虫用発光部の光は、虫を効果的に誘引する特性を備えていることが要求される。上述のように昆虫は紫外領域の光に強く誘引されることが知られており、Bickford（Bickford,E.D "Biological Lighting"，I.E.S.Nat.Tech.Conf.Paper,Preprint No.2,1964）によると各波長における誘引効果の強さ（光の強度に対する相対感度の比率）は図７に示すような分布をとる。尚、図中のイは人間の特性を示し、ロは昆虫の特性を示している。この図から分かるように、誘虫用発光部が、約３４０ｎｍ以上且つ約３７０ｎｍ未満の紫外線を主として発することで、効率的に虫を誘引することが可能になる。
【００２３】
また誘虫用発光部の光が虫の侵入を防除したい防除領域から外部に向かって放射されると、外部にいる虫が誘虫用発光部の光に誘われて、防除領域の内部に侵入する虞がある。そこで、本システムでは誘虫用発光部の光軸が防除領域の内側を向くようにして誘虫装置２を設置してあり、虫を誘引したい方向に誘虫用発光部の光軸を向けることで、誘虫装置２の設置によって防除領域内に侵入する虫が増加するのを防止している。
【００２４】
また更に、照明器具１の分光分布の制限に加えて誘虫装置２を設置しているので、誘虫装置２のみを設置した場合に比べてその誘虫効果が向上する。これは、誘虫用発光部からの光で虫を誘引する際に妨害刺激となる照明装置からの放射光が、誘虫効果のある波長が約４１０ｎｍ以下の光をほとんど放射しないため、虫にとっては誘虫用発光部からの光のみが目立つからである。
【００２５】
また、誘虫用発光部を交流点灯して点滅させた場合と、直流点灯させた場合とで蠅を誘引する実験を行った結果、蠅は誘虫用発光部を交流点灯させた側に圧倒的に誘引され、誘虫用発光部のランプ光束を直流点灯の場合より半減させても、交流点灯の方が多く捕虫できたという実験結果が得られている（例えばSyms,Goodman:Entomol.Exper.Appl.,vol.43,pp.81-85,1987.）。これは、交流点灯によるランプの点滅が高い誘虫性を発揮した例であり、本システムでは誘虫用発光部の発光を点滅させることで、より高い誘虫効果を得るようにしている。
【００２６】
（参考例１）
本発明の参考例１を図８〜図１０に基づいて説明する。基本構成で説明した虫防除システムでは、店舗スペース２４及び事務室２５の天井や出入口２１の外側の軒天井に設置した照明器具１の蛍光ランプ全てに、カットする光の波長の上限が約４１０ｎｍに設定されたシリンダ状の短波長光カットフィルタを装着しているのに対して、本システムでは、図８に示すように店舗スペース２４の天井と出入口２１の外側の軒天井に設置した照明器具１ａの蛍光ランプには、図９に示すような透過率を有し、カットする光の波長の上限が約３８０ｎｍに設定されたシリンダ状の短波長光カットフィルタを装着するとともに、事務室２５の天井に設置された照明器具１ｂには、図１０に示すような分光分布を有し、５００ｎｍ未満の光をほとんど放射しないランプを用いている。尚、照明器具１ａ，１ｂの分光分布以外は基本構成の虫防除システムと同様であるので、共通する構成要素には同一の符号を付して、その説明は省略する。
【００２７】
ところで、上述した基本構成の虫防除システムでは、照明器具１からの放射光に対する分光分布の制限が可視光領域にも及んでいるため、放射光の色調に対する影響が小さいとはいえ、皆無ではない。例えば店舗スペース２４の天井や出入口２１の外側の軒天井に設置される照明器具１ａの光は客に見られるし、その光によって商品の見え方も左右されるため、照明の色味に対する要求水準が高く、このような照明器具１ａに対しては制限を加える波長を約３８０ｎｍ以下の紫外領域のみに限定することが望ましい。つまり、照明器具１ａの蛍光ランプに装着する短波長光カットフィルタには、カットされる波長の上限が約３８０ｎｍ以下のものを用いて、放射光から紫外領域のみの光を除去しており、除去する光を紫外領域のみに限定することで、一定の防除効果を確保しながら色調を保つことが可能になる。
【００２８】
ここで、波長が約３８０ｎｍ未満の光をカットする短波長光カットフィルタを各種の光源に被せた場合に、各々の光源について波長が約３８０ｎｍ以上の最大分光エネルギーに対する約３８０ｎｍ未満の最大分光エネルギーの比率を求めた結果を表２に示す。
【００２９】
【表２】
0004840463.tif 000003
【００３０】
この表２から分かるように、各光源の色味を確保しつつ３８０ｎｍ未満の短波長光をカットして虫の誘引を防止するためには、波長が約３８０ｎｍ未満の最大分光エネルギーが、約３８０ｎｍ以上の最大分光エネルギーに対する比率を約１８％未満に収めることが必要になる。尚、本システムでは短波長光カットフィルタを光源に被せることで波長が約３８０ｎｍ未満の短波長光をカットしているが、波長が約３８０ｎｍ未満の短波長光を放射しない光源を用いても良いこと言うまでもない。
【００３１】
一方、事務室２５の天井に設置される照明器具１ｂのように照明の色味に対する要求水準が低く、黄色味をおびた光でも照明の目的に支障をきたさない場合には、虫の防除効果をより高めるために、さらに長波長側まで光をカットすることが望ましい。そこで、本システムでは照明器具１ｂに、波長が約５００ｎｍ以下の光を殆ど放射しないランプを用いており、基本構成で説明した虫防除システムよりもさらに長波長側の光まで除去することで、基本構成の虫防除システムに比べて虫の防除効果を高めている。
【００３２】
尚、照明器具１ｂに波長が約５００ｎｍ以下の光を殆ど放射しないランプを用いる代わりに、カットされる波長の上限が約５００ｎｍ以下の短波長光カットフィルタをランプに被せることで、波長が約５００ｎｍ以下の光をカットするようにしても良いことは言うまでもない。ここで、波長が約５００ｎｍ未満の光をカットする短波長光カットフィルタを各種の光源に被せた場合に、各々の光源について波長が約５００ｎｍ以上の最大分光エネルギーに対する約５００ｎｍ未満の最大分光エネルギーの比率を求めた結果を表３に示す。
【００３３】
【表３】
0004840463.tif 000004
【００３４】
この表３から分かるように、各光源の色味を確保しつつ波長が約５００ｎｍ未満の短波長光をカットして虫の誘引を防止するためには、約５００ｎｍ未満の最大分光エネルギーが、約５００ｎｍ以上の最大分光エネルギーに対する比率を約１２％未満に収めることが必要になる。
【００３５】
（参考例２）
本発明の参考例２を図１１及び図１２に基づいて説明する。尚、虫防除システムの基本的な構成は基本構成で説明した虫防除システムと同様であるので、共通する構成要素には同一の符号を付して、その説明は省略する。
【００３６】
ところで、基本構成の虫防除システムで説明した図７の実験データから明らかなように、約４１０ｎｍ以上或いは約５００ｎｍ以上の可視光にも虫を誘引する効果があるため、照明器具１からの放射光が基本構成の虫防除システムや参考例１の虫防除システムで説明したような分光分布を有していたとしても、照明器具１の発光部が防除領域の外側から直視できる場合は、照明器具１の発光部が誘引源となって、虫が防除領域の内側に誘引される可能性がある。
【００３７】
図１１は建物２０の外壁に設けたガラス窓２２付近の天井に設置された照明器具１を示している。この照明器具１はシリンダ状の短波長光カットフィルタを装着した直管形の蛍光ランプ１ｃを有し、ガラス窓２２の設けられた壁に対してランプ軸方向が略直交するように配置されている。照明器具１は配光を制御するためのルーバー１ｄを複数備えている。複数のルーバー１ｄはそれぞれ平板状に形成され、法線方向がランプ軸方向と略平行になるようにランプ軸方向に一定の間隔をおいて配置されている。つまり、遮光手段たるルーバー１ｄはガラス窓２２の設けられた壁と略平行に配置されており、蛍光ランプ１ｃからガラス窓２２に向かう光を遮光しているので、ガラス窓２２から外側に漏れる蛍光ランプ１ｃの光が減少し、蛍光ランプ１ｃの光に外部の虫が誘引されるのを防止することができる。
【００３８】
尚、本システムでは照明器具１に設けたルーバー１ｄで、蛍光ランプ１ｃから外部に向かう光を遮光しているが、図１２（ａ）に示すように天井面より垂下した遮光板２８（遮光手段）で照明器具１’から外部に向かう光を遮光するようにしても良い。
【００３９】
照明器具１’は、白熱電球又は電球形蛍光ランプからなる発光部１ｅを備えたダウンライトからなり、発光部１ｅの照射方向（下方）には基本構成又は参考例１の虫防除システムで説明したような分光特性を有する平板状の短波長光カットフィルタ１ｆが配置されて、発光部１ｅの放射光から短波長光を除去している。尚、照明器具１’では短波長光カットフィルタ１ｆを用いることで短波長光を除去しているが、短波長光カットフィルタ１ｆを用いる代わりに、図１２（ｂ）に示すように短波長光を放射しない発光部１ｅ’を用いることで、紫外領域から可視領域の短波長側にかけての光を除去するようにしても良い。
【００４０】
ここで、照明器具１’の発光部１ｅ，１ｅ’は外部からガラス窓２２を通して視認可能となっているが、遮光板２８を発光部１ｅ，１ｅ’とガラス窓２２との間の天井の部位に突設しているので、遮光板２８で発光部１ｅ，１ｅ’からの光がガラス窓２２を通して外部に漏れるのを防止でき、照明器具１’の光に虫が誘引されるのを防止することができる。
【００４１】
（実施形態１）
本発明の実施形態１を図１及び図２に基づいて説明する。上述した基本構成の虫防除システムにおいて、照明器具１の発光部からの光や誘虫装置２の誘虫用発光部からの光が、防除領域内のガラス面や什器などで反射して虫の侵入が予想される方向に反射される虞がある。例えば図１に示すように誘虫装置２からの光が、建物２０内にある什器などの反射物体３０に反射されると、その反射光が建物２０の外壁に設けたガラス窓２２を通して外部に漏れ出す虞がある。尚、虫防除システムの基本構成は基本構成の虫防除システムと同様であるので、共通する構成要素には同一の符号を付して、その説明は省略する。
【００４２】
反射物体３０による光の反射率は入射角が９０度に近付くにつれて上昇するが、その上昇カーブはＳ偏光成分（入射面に垂直な偏光成分）の方がＰ偏光成分（入射面に平行な偏光成分）よりも早く立ち上がり、結果的に反射される量も多くなる。図２は入射角と反射率との関係を示しており、図中のイはＳ偏光成分の反射率、ロはＰ偏光成分の反射率である。
【００４３】
ここで、本実施形態では誘虫装置２の誘虫用発光部の前方にＳ偏光成分をカットする偏光フィルタ２ａ（第１減光手段）を配置しており、この偏光フィルタ２ａで誘虫用発光部の放射光からＳ偏光成分を低減しているので、主たる反射面（入射角が深い反射面）による反射光を低減することができる。而して、ガラス窓２２から外部に漏れる反射光を低減することができ、反射光に誘引される虫を減らすことができる。
【００４４】
尚、本実施形態では誘虫装置２の誘虫用発光部の前方にＳ偏光成分をカットする偏光フィルタ２ａを設けているが、照明器具１の発光部の前方にＳ偏光成分をカットする偏光フィルタ（第２減光手段）を設けても良く、照明器具１の発光部や誘虫装置２の誘虫用発光部にＳ偏光成分をカットする偏光フィルタを設けておけば、照明器具１の発光部や誘虫用発光部の放射光からＳ偏光成分を低減することができ、ガラス窓２２から外部に漏れる反射光を減らして反射光に誘引される虫を減らすことができる。
【００４５】
（参考例３）
本発明の参考例３を図１３に基づいて説明する。図１３は誘虫装置２の配置を示し、基本構成の虫防除システムで説明したように建物２０内に誘虫装置２を設置した場合、誘虫用発光部の光が室内の什器などの反射物体３０で反射され、その反射光が外壁に設けたガラス窓２２を通して外部に漏れる虞があり、外部に漏れた光で虫が誘引されるという問題があった。一方、誘虫用発光部からは室内側に光を放射しないと、室内に侵入した虫を誘導或いは捕獲するという目的を達することができなかった。
【００４６】
そこで、本システムでは、誘虫装置２の誘虫用発光部の前方にＳ偏光成分を低減する偏光フィルタ２ａ（第１の減光手段）を設けるとともに、ガラス窓２２（透光窓）にＰ偏光成分を低減する偏光フィルタ３１（第２の減光手段）を設けている。尚、誘虫装置２及び偏光フィルタ２ａ，３１以外は基本構成の虫防除システムと同様であるので、共通する構成要素には同一の符号を付して、その説明は省略する。
【００４７】
上述のように偏光フィルタ２ａを誘虫用発光部に設けるとともに、偏光フィルタ３１をガラス窓２２に設けているので、偏光フィルタ２ａによって誘虫用発光部の放射光からＳ偏光成分が低減され、その後反射物体３０で反射された光からガラス窓２２に設けた偏光フィルタ３１によってＰ偏光成分が低減されるから、誘虫用発光部から十分な光を室内に放射して、室内にいる虫を誘引する効果を十分に確保しつつ、反射光が室外へ放射されるのを抑制して、外部にいる虫を誘引するのを防止することができる。
【００４８】
尚、本システムでは、誘虫装置２の誘虫用発光部の前方にＳ偏光成分を低減する偏光フィルタ２ａを設けるとともに、ガラス窓２２にＰ偏光成分を低減する偏光フィルタ３１を設けているが、誘虫用発光部の前方にＳ偏光成分又はＰ偏光成分の内の何れか一方を低減する偏光フィルタを設けるとともに、Ｓ偏光成分又はＰ偏光成分の内の他方をガラス窓２２に設ければ良く、上述と同様の効果がある。
【００４９】
（参考例４）
本発明の参考例４を図１４に基づいて説明する。図１４は誘虫装置２の配置を示しており、基本構成の虫防除システムで説明したように建物２０内に誘虫装置２を設置した場合、誘虫用発光部の光が室内の什器などの反射物体３０で反射され、その反射光が外壁に設けたガラス窓２２を通して外部に漏れる虞があり、外部に漏れた光で虫が誘引されるという問題があった。
【００５０】
そこで、本システムでは誘虫装置２の誘虫用発光部からの光が照射される反射物体３０の表面（照射面）に、例えば周知の紫外線吸収剤を塗布するなどして紫外線をカット（吸収）する紫外線カット処理を施して、紫外線吸収部３０ａを形成している。尚、図１４では図示を簡単にするために照明器具１は省略して図示してあるが、紫外線吸収部３０ａ以外は基本構成の虫防除システムと同様であるので、共通する構成要素には同一の符号を付して、その説明は省略する。
【００５１】
このように、本システムでは誘虫用発光部の照射面の少なくとも一部に紫外線吸収部３０ａを形成しているので、誘虫用発光部からの放射光が誘虫用発光部の照射面で反射されるのを抑制して、ガラス窓２２から外部に漏れる反射光を減らすことができ、外部に漏れる反射光によって誘引される虫を低減することができる。
【００５２】
（参考例５）
本発明の参考例５を図１５及び図１６に基づいて説明する。本システムでは、本発明に係る虫防除システムをスーパーマーケットような店舗に適用してあり、建物２０の内部には基本構成の虫防除システムで説明したように照明器具１及び誘虫装置２が設置されている。また、建物２０の周りには複数（例えば４基）の屋外灯３が設置されており、屋外灯３で建物２０及びその周辺部を照明している。そして、建物２０の外壁には全面に周知の紫外線吸収剤を塗布して、紫外線吸収部３２（図１５の斜線部）を形成している。尚、建物２０内の照明器具１及び誘虫装置２の配置は基本構成の虫防除システムと同様であるので、その説明は省略する。
【００５３】
照明器具３は、基本構成の虫防除システムで説明した照明器具１と同様に短波長光カットフィルタを有し、この短波長光カットフィルタで短波長光をカットしているので、短波長光カットフィルタを備えていない場合に比べて光の強度は小さくなるものの、紫外領域の光を若干含んで場合もある。
【００５４】
ここで、建物２０の外壁に紫外線吸収部３２を設けていない場合は、屋外灯３から建物２０の外壁に照射された光が外壁で反射されると、外壁で反射された光に虫を誘引する波長の光が含まれているため、建物２０の外壁に虫が集まってくる虞があるが、本システムでは屋外灯３の光が照射される外壁の全面（照射面）に紫外線吸収部３２を設けているので、屋外灯３から外壁に照射された光に含まれる紫外光が紫外線吸収部３２で吸収され、その結果外壁で反射された光に含まれる紫外線を低減することができ、外壁に集まってくる虫を低減することができる。
【００５５】
尚、本システムでは建物２０の外壁の全面に紫外線吸収部３２を形成しているが、外壁の一部のみに紫外線吸収部３２を形成しても良い。例えば図１６に示すように出入口２１とその周辺部のみに紫外線吸収部３２（図１６の斜線部）を形成しても良く、屋外灯３からの照射光に含まれる紫外光を紫外線吸収部３２で吸収することにより、出入口２１とその周辺部で反射された光に含まれる紫外線を低減することができ、その結果侵入経路となる出入口２１の周辺に集まってくる虫が減少し、建物２０の内部に侵入する虫を低減することができる。
【００５６】
上述の参考例４では誘虫用発光部の照射面の少なくとも一部に紫外線吸収部３０ａを形成し、参考例５では照明器具の照射面の少なくとも一部に紫外線吸収部３２を形成しているが、誘虫用発光部又は照明装置の内の少なくとも何れか一方の照射面（誘虫用発光部又は照明装置の光が照射される部位）の少なくとも一部に紫外線を吸収する紫外線吸収部を形成すれば良く、照射面による反射光に含まれる紫外線を低減することで、反射光に誘引される虫を低減することができる。
【００５７】
（参考例６）
本発明の参考例６を図１７に基づいて説明する。図１７は本発明の虫防除システムを適用する建物２０の平面図であり、建物２０内部の防除領域と外部とを仕切る建物２０の外壁２０ａには出入口（開口部）２１が１箇所形成されている。そして、この建物２０の内部には、基本構成の虫防除システムで説明した短波長光カットフィルタを備える照明器具（図示せず）を１乃至複数台設置するとともに、虫の主な侵入経路となる出入口２１の近辺に出入口２１から放射状に複数（例えば５台）の誘虫装置２を配置してある。尚、図１７では図示を簡単にするため短波長光カットフィルタを備えた照明器具を省略して図示してある。
【００５８】
このように、複数の誘虫装置５は、誘虫用発光部の光軸が出入口２１から放射状に延びるように配置されているので、建物２０内に侵入した虫が誘虫用発光部の光に誘引されると、常に出入口２１に向かう方向に誘引されるから、内部に侵入した虫を出入口２１の方向に誘導して、捕虫することができる。また、建物２０の外部からは出入口２１を通して誘虫装置２の誘虫用発光部を見ることができないため、外部にいる新たな虫が誘虫用発光部の光に誘われて侵入してくることもない。
【００５９】
（参考例７）
本発明の参考例７を図１８に基づいて説明する。図１８は本発明の虫防除システムを適用する建物２０の平面図であり、建物２０内部の防除領域と外部とを仕切る建物２０の外壁２０ａには出入口（開口部）２１が１箇所形成されている。そして、この建物２０の内部には、基本構成の虫防除システムで説明した短波長光カットフィルタを備える照明器具（図示せず）を１乃至複数台設置するとともに、虫の主な侵入経路となる出入口２１の近傍に誘虫用発光部の光軸が建物２０の内側を向くようにして誘虫装置２を設置してある。尚、図１８では図示を簡単にするため短波長光カットフィルタを備えた照明器具を省略して図示してある。
【００６０】
上述のように誘虫装置５は、出入口２１の近傍に誘虫用発光部の光軸が建物２０の内側を向くようにして配置されているので、建物２０内に侵入した虫が誘虫用発光部の光に誘引されると、常に出入口２１に向かう方向に誘引されるから、内部に侵入した虫を出入口２１の方向に誘導して、捕虫することができる。また、建物２０の外部からは出入口２１を通して誘虫装置２の誘虫用発光部を見ることができないため、外部にいる新たな虫が誘虫用発光部の光に誘われて侵入してくることはない。
【００６１】
また、出入口２１などの開口部を設けた壁に対して誘虫用発光部の光軸が直交し、且つ室内側を向くようにして誘虫用発光部を備える誘虫装置２を複数台設置すれば、誘虫用発光部に誘引された虫が常に一方向（開口部に向かう方向）に移動することになり、虫を開口部の方へ誘引することができる。また、外部から出入口２１を通して誘虫装置２の誘虫用発光部を見ることはできないため、外部にいる新たな虫が誘虫用発光部の光に誘われて侵入してくることはない。
【００６２】
（参考例８）
本発明の参考例８を図１９に基づいて説明する。
【００６３】
図１９は本発明の虫防除システムを適用した建物２０の内部を示し、建物２０内部の防除領域と外部とを仕切る建物２０の壁２０ａには出入口となる開口部２９が１箇所形成されている。そして、この建物２０の内部には、基本構成の虫防除システムで説明した短波長光カットフィルタを有する照明器具（図示せず）を１乃至複数台設置するとともに、開口部２９の直上の壁２０ａに誘虫用発光部と粘着式の捕虫部とを備えた誘虫装置２を設置してある。このように、本システムでは誘虫装置２を開口部２９の直上に設置しているので、開口部２９から内部に侵入した虫を誘虫用発光部の光で開口部２９側に誘引することができ、開口部２９から奥に虫が侵入するのを防止できる。
【００６４】
尚、照明器具及び誘虫装置２の基本的な構成及び動作は基本構成の虫防除システムと同様であるので、その説明は省略する。
【００６５】
（参考例９）
本発明の参考例９を図２０に基づいて説明する。
【００６６】
図２０は本発明の虫防除システムを適用した建物２０の内部を示し、建物２０内部の防除領域と外部とを仕切る建物２０の壁２０ａには、隣接する壁２０ｂの近傍に出入口となる開口部２９が形成されている。そして、この建物２０の内部には、基本構成の虫防除システムで説明した短波長光カットフィルタを有する照明器具（図示せず）を１乃至複数台設置するとともに、開口部２９を設けた壁２０ａに対して略直交する壁２０ｂの開口部２９付近の部位に、誘虫用発光部と粘着式の捕虫部とを備えた誘虫装置２を設置してある。
【００６７】
誘虫装置２には誘虫用発光部の配光を制御するルーバー２ｂが複数設けられている。各ルーバー２ｂは平板状であって、開口部２９を設けた壁２０ａと略平行に配置されているので、誘虫用発光部からの光が開口部２９に向かうのを遮光して、誘虫用発光部の光が開口部２９を通して外部に漏れるのを防止できる。このように外部から開口部２９を通して誘虫用発光部の光を見ることができないので、外部の虫が誘虫用発光部の光に誘引されて、開口部２９から建物内部に侵入するのを防止できる。また、開口部２９の近傍に誘虫装置２を設置しているので、建物２０の内部に侵入した虫を誘虫装置２の誘虫用発光部から放射される光で誘引して、捕獲することができる。
【００６８】
尚、照明器具及び誘虫装置２の基本的な構成及び動作は基本構成の虫防除システムと同様であるので、その説明は省略する。
【００６９】
（参考例１０）
本発明の参考例１０を図２１に基づいて説明する。
【００７０】
図２１は本発明の虫防除システムを適用した建物２０を示し、建物２０の内部には、基本構成の虫防除システムで説明した短波長光カットフィルタを有する照明装置（図示せず）を１乃至複数台設置するとともに、例えば食品用のショーケース２６のような忌避対象物の直上の天井面２０ｃに誘虫装置２を設置してある。ここで、誘虫装置２の誘虫用発光部は、光軸が食品用のショーケース２６の方を向くように設置されているので、忌避対象の食品用ショーケース２６に近付いた虫を効率良く、誘引して捕獲することができる。また、誘虫用発光部の光軸は建物２０の内側であって、虫を誘引したい方向に向いており、誘虫用発光部からの光は建物２０の外側に照射されないので、誘虫用発光部の光に外部の虫が誘引されるのを防止できる。
【００７１】
尚、照明器具及び誘虫装置２の基本的な構成及び動作は基本構成の虫防除システムと同様であるので、その説明は省略する。
【００７２】
（参考例１１）
本発明の参考例１１を図２２に基づいて説明する。
【００７３】
図２２は本発明の虫防除システムを適用した建物２０を示し、建物２０の内部（防除領域）の天井と、建物２０の開口部である出入口２１の外側の軒天井にはそれぞれ照明器具１，１が設置されている。これらの照明器具１，１は光源として蛍光ランプを用い、基本構成の虫防除システムと同様に短波長光に対して非透過性を有する材料から形成された短波長光カットフィルタ（図示せず）を発光管に装着することで、蛍光ランプの放射光から短波長の光をカットしており、放射光の波長が約３００ｎｍ以上且つ約４１０ｎｍ未満の分光エネルギーの最大値が約４１０ｎｍ以上の分光エネルギーの最大値に対して約２６％未満になるように照明器具１の分光分布を調整することで、照明器具１の光で誘引される虫を減らして、建物２０内部の防除領域に侵入する虫Ｂの数を低減している。尚、照明器具１の分光分布は上記の分光分布に限定されるものではなく、参考例１又は２で説明したような分光分布に調整しても良い。
【００７４】
また建物２０の内部および外部にはそれぞれ誘虫装置２ｃ，２ｄを設置してある。誘虫装置２ｃ，２ｄはそれぞれ光で虫を誘引するための誘虫用発光部を備えており、これらの誘虫用発光部は、基本構成１の虫防除システムで説明したように約３４０ｎｍ以上且つ約３７０ｎｍ未満の紫外線を主として発することで、効率的に虫を誘引できるようになっている。
【００７５】
一方の誘虫装置２ｃは、建物２０内部の出入口２１付近の天井部分に、誘虫用発光部の光軸（図２２中の矢印Ａ１）を建物２０の内側（出入口２１と反対側）に向けて設置してあり、建物２０の内部に一旦侵入した虫Ｂを誘虫用発光部からの光で出入口２１側に誘引することで、虫を捕獲したり、建物２０の外部へ排除するようになっている。また他方の誘虫装置２ｄは、建物２０の外部に、誘虫用発光部の光軸（図２２中の矢印Ａ２）を建物２０の出入口２１に向けて設置してあり、出入口２１の周辺にいる虫を誘虫用発光部からの光で誘虫装置２ｄ側に誘引することで、虫を出入口２１から遠ざけて、建物２０内部の防除領域に侵入する虫の数を低減している。
【００７６】
ところで図２３は建物２０の外側に配置される誘虫装置２ｄの外観斜視図を示しており、この誘虫装置２ｄは、主として約３４０ｎｍ以上且つ約３７０ｎｍ未満の紫外線を発する光源３４を備えるとともに、この光源３４から防除領域（建物２０）と略正反対の方向へ照射される光を遮光する遮光板３５を備えている。したがって、光源３４から建物２０と略正反対の方向へ照射される光が遮光板３５によって遮光されるから、誘虫装置２ｄに対して防除領域と略正反対の方向にいる虫が、光源３４からの光に誘引されてくるのを防止でき、防除領域の周辺から光源３４の光に誘われて防除領域に向かう虫の数を低減しつつ、防除領域の内部に侵入した虫を誘虫装置２ｄ側に誘引することができる。ここに、遮光板３５により、誘虫用発光部（光源３４）から防除領域と略正反対の方向へ照射される光を遮光する手段が構成される。
【００７７】
（参考例１２）
本発明の参考例１２を図２４に基づいて説明する。
【００７８】
図２４は本発明の虫防除システムを適用した店舗のような建物２０を示し、建物２０の内部の天井と、建物２０の外側に面したショーウィンドウ３３の天井にそれぞれ照明器具１，１が設置されている。これらの照明器具１，１は光源として蛍光ランプを用い、基本構成の虫防除システムと同様に短波長光に対して非透過性を有する材料から形成された短波長光カットフィルタ（図示せず）を発光管に装着することで、蛍光ランプの放射光から短波長の光をカットしており、放射光の波長が約３００ｎｍ以上且つ約４１０ｎｍ未満の分光エネルギーの最大値が約４１０ｎｍ以上の分光エネルギーの最大値に対して約２６％未満になるように照明器具１の分光分布を調整することで、照明器具１の光で誘引される虫を減らして、建物２０内部の防除領域に侵入する虫Ｂの数を低減している。尚、照明器具１の分光分布は上記の分光分布に限定されるものではなく、参考例１又は２で説明したような分光分布に調整しても良い。
【００７９】
また建物２０の外部には、参考例１１で説明した誘虫装置２ｄを設置してある。誘虫装置２ｄは光で虫を誘引するための光源３４を備えており、この光源３４は、基本構成の虫防除システムで説明したように約３４０ｎｍ以上且つ約３７０ｎｍ未満の紫外線を主として発することで、効率的に虫を誘引できるようになっており、誘虫装置２ｄは光源３４の光軸を建物２０のショーウィンドウ３３に向けて配置している。また誘虫装置２ｄは、光源３４から防除領域（建物２０およびショーウィンドウ３３）と略正反対の方向へ照射される光を遮光する遮光板３５を備えている。
【００８０】
ここで、ショーウィンドウ３３のガラス窓３３ａから外部に漏れる光に誘引されて、ガラス窓３３ａに虫Ｂが集まってくると、建物２０の外観を損なうため、この建物２０では、ショーウィンドウ３３に面した建物２０外部の防除領域Ｃに侵入する虫の数も低減したいという要望がある。
【００８１】
そこで本システムでは、上述のように建物２０内に設置される照明器具１，１の分光分布を調整することで、照明器具１の光に誘引されて防除領域Ｃに侵入する虫の数を減らしており、さらに誘虫装置２ｄの光源３４から建物２０のショーウィンドウ３３側に照射された誘引光で虫を誘引することで、ショーウィンドウ３３の周辺にいる虫をショーウィンドウ３３から遠ざけて、ショーウィンドウ３３のガラス窓３３ａに虫が集まるのを防止している。なお本システムにおいても、参考例１１と同様に、防虫装置２ｄの備える遮光板３５で光源３４から防除領域と略正反対の方向へ照射される光を遮光しているので、光源３４からの光で誘虫装置２ｄに対して防除領域と略正反対の方向にいる虫が誘引されて、防除領域Ｃに侵入する虫が増加するのを防止している。
【００８２】
（参考例１３）
本発明の参考例１３を図２５及び図２６に基づいて説明する。
【００８３】
図２５は本発明の虫防除システムを適用した店舗のような建物２０の平面図であり、この建物２０の正面略中央には出入口２１が設けられ、建物２０の正面の壁と右側の壁の前面側にはガラス窓２２，２２が設けられている。また建物２０の内部は仕切壁２３によって店舗スペース２４と事務室２５とに分けられており、事務室２５の壁には店舗スペース２４および外部に連通する扉２５ａ，２５ａが設けられている。ここで、建物２０の外壁に開口したガラス窓２２，２２から外部に漏れる光に誘引されて、ガラス窓２２，２２に虫が集まってくると、建物２０の外観を損なうため、この建物２０では、建物２０の内部の領域Ｄに加えて、ガラス窓２２，２２に面した建物２０外部の領域Ｃ，Ｃに侵入する虫の数も低減したいという要望がある。
【００８４】
この建物２０の内部には、店舗スペース２４及び事務室２５の天井に複数の照明器具１が配設されている。各照明器具１は、基本構成の虫防除システムで説明したように直管形の蛍光ランプ（図示せず）を具備し、短波長光に対して非透過性を有する材料からシリンダ状（円筒状）に形成された短波長光カットフィルタ（図示せず）を直管形の蛍光ランプに装着することで、蛍光ランプの放射光から短波長の光をカットしており、放射光の波長が約３００ｎｍ以上且つ約４１０ｎｍ未満の分光エネルギーの最大値が約４１０ｎｍ以上の分光エネルギーの最大値に対して約２６％未満になるように照明器具１の分光分布を調整することで、照明器具１の光で誘引される虫を減らして、建物２０の内外の防除領域Ｃ，Ｄに虫が侵入するのを抑制している。尚、照明器具１の分光分布は上記の分光分布に限定されるものではなく、参考例１又は２で説明したような分光分布に調整しても良い。
【００８５】
また建物２０の内外には誘虫用発光部を備えた複数の誘虫装置２ｅ〜２ｉを設置してあり、各誘虫装置２ｅ〜２ｉの備える誘虫用発光部は、基本構成の虫防除システムで説明したように約３４０ｎｍ以上且つ約３７０ｎｍ未満の紫外線を主として発することで、効率的に虫を誘引できるようになっている。また各誘虫装置２ｅ〜２ｉは、誘虫用発光部から防除領域と略正反対の方向に照射される光を遮光する遮光手段を備えており、防除領域と略正反対の方向に照射される光を遮光することで、誘虫装置に対して防除領域と略正反対の方向にいる虫を誘引するのを防止し、防除領域の周辺から誘虫用発光部の光に誘われて防除領域に向かう虫の数を低減しつつ、防除領域の内部に侵入した虫を誘虫発光部側に誘引している。
【００８６】
誘虫装置２ｅは建物２０の正面側に建物２０と離して設置されており、図２６（ａ）に示すように建物２０側に誘引光を照射する光源３６と、光源３６に集まってきた虫に電撃を加えて殺虫する電撃発生部（図示せず）とを備えた電撃殺虫器からなり、光源３６から防護領域と略正反対の方向に照射される光を遮光する遮光板３７（遮光手段）を備えている。
【００８７】
また誘虫装置２ｆは、図２６（ｂ）に示すように投光器タイプの誘虫発光部を備え、光源３８からの照射光を反射鏡３９で反射して所望の方向に照射させている。そして誘虫装置２ｆは、その光軸を建物２０（防護領域）に向けて設置されているので、光源３８からの光が防護領域以外の方向へ照射されるのを防止でき、また照射光を建物２０に当てることで、光源３８からの光が建物２０を通り過ぎて建物２０の背面側に照射されるのを防止することもできる。
【００８８】
また誘虫装置２ｇは建物２０の右側に設けた植え込み４０内に設置されており、図２６（ｃ）に示すようにスポットライト形の誘虫発光部からなり、誘虫装置２ｆと同様に、光源（図示せず）からの照射光を反射鏡３９で反射して所望の方向に照射させている。そして誘虫装置２ｇは、その光軸を防護領域Ｃに向けて設置されているので、光源からの光が防護領域Ｃ以外の方向へ照射されるのを防止できる。ここで誘虫装置２ｆ，２ｇでは、反射鏡３９により、光源から防護領域と略正反対の方向に照射される光を遮光する遮光手段が構成される。
【００８９】
また誘虫装置２ｈは、図２６（ｅ）に示すような庭園灯タイプの誘虫発光部からなり、縦長の直方体状の本体４１を備え、本体４１上部の四方の側面の内、１面のみに開口部４２を設け、この開口部４２に臨ませるようにして光源を本体４１内部に収納しており、光源からの光は開口部４２を通して一方向に照射されるようになっている。そして誘虫装置２ｈは、その光軸を建物２０の外面に開口した出入口２５ａに向けて設置されているので、光源からの光が建物２０（防護領域）以外の方向へ照射されるのを防止できる。ここに誘虫装置２ｈの本体４１などで、光源から防護領域と略正反対の方向に照射される光を遮光する遮光手段が構成される。
【００９０】
また誘虫装置２ｉは、図２６（ｄ）に示すように建物２０内部の出入口２１付近の天井部に設置された誘虫発光部を具備し、この誘虫発光部は、主として約３４０ｎｍ以上且つ約３７０ｎｍ未満の紫外線を発光する直管形の蛍光ランプ４３と、この蛍光ランプ４３を保持して蛍光ランプ４３を点灯させる灯具４４と、蛍光ランプ４３に対して出入口２１側に配置され、蛍光ランプ４３からの光を室内側に反射する反射板４５とを備えている。而して、蛍光ランプ４３からの光は反射板４５によって室内側に反射されるので、防護領域の内部に侵入した虫を蛍光ランプ４３からの光で出入口２１側に誘引することができる。また遮光手段としての反射鏡４５によって、蛍光ランプ４３から防護領域と略正反対の方向に照射される光が遮光されるので、蛍光ランプ４３からの光が出入口２１を通して建物２０の外側に照射されることがなく、防護領域の外側にいる虫が蛍光ランプ４３の光に誘引されて建物２０側に集まってくるのを防止できる。
【００９１】
以上説明したように本システムでは、建物２０内に設置される照明器具１の分光分布を調整することによって、照明器具１から照射される光に虫が集まってくるのを抑制することができ、また建物２０の内外に設置された誘虫装置２ｅ〜２ｉの誘虫用発光部からの光で建物２０の内部に一旦入った虫を防護領域の外側に誘引しているので、防護領域の内部に存在する虫の数を低減することができる。また各誘虫装置２ｅ〜２ｉは、誘虫用発光部から防護領域と略正反対の方向へ照射される光を遮光する手段を備えているので、誘虫用発光部から防護領域と略正反対の方向へ誘引光が照射されることによって、各誘虫装置２ｅ〜２ｉに対して防護領域と正反対の方向にいる虫が誘引されて、防護領域に集まってくるのを防止できる。
【符号の説明】
【００９２】
１  照明器具（照明装置）
２  誘虫装置
２ａ  偏光フィルタ（減光手段）
２０  建物
２２  ガラス窓
３０  反射物体
【図１】
0004840463.tif 000005
【図２】
0004840463.tif 000006
【図３】
0004840463.tif 000007
【図４】
0004840463.tif 000008
【図５】
0004840463.tif 000009
【図６】
0004840463.tif 000010
【図７】
0004840463.tif 000011
【図８】
0004840463.tif 000012
【図９】
0004840463.tif 000013
【図１０】
0004840463.tif 000014
【図１１】
0004840463.tif 000015
【図１２】
0004840463.tif 000016
【図１３】
0004840463.tif 000017
【図１４】
0004840463.tif 000018
【図１５】
0004840463.tif 000019
【図１６】
0004840463.tif 000020
【図１７】
0004840463.tif 000021
【図１８】
0004840463.tif 000022
【図１９】
0004840463.tif 000023
【図２０】
0004840463.tif 000024
【図２１】
0004840463.tif 000025
【図２２】
0004840463.tif 000026
【図２３】
0004840463.tif 000027
【図２４】
0004840463.tif 000028
【図２５】
0004840463.tif 000029
【図２６】
0004840463.tif 000030